(57)【要約】【課題】第１の端末から送信されてきた第１の付箋情報を、第２の端末における台紙に貼り付ける処理を行うにあたって、有効とした作業用領域内に第１の付箋情報が送られてきたことを示すようにした情報処理装置を提供する。【解決手段】情報処理装置の第１の受付手段は、第１の端末から、少なくとも第１の付箋情報を受け付け、第２の受付手段は、付箋情報を台紙に貼り付ける処理を行うための操作を受け付ける第２の端末から、第１の付箋情報を貼り付けるための作業を行う領域である作業用領域を有効とするための操作を受け付け、作成手段は、第２の受付手段が作業用領域を有効とする操作を受け付けた場合は、作業用領域に第１の付箋情報を貼りつけたことを示す画像を表示するための表示情報を作成する。【選択図】図１
2014222435.tif 000002
【特許請求の範囲】
【請求項１】
第１の端末から、少なくとも第１の付箋情報を受け付ける第１の受付手段と、
付箋情報を台紙に貼り付ける処理を行うための操作を受け付ける第２の端末から、前記第１の付箋情報を貼り付けるための作業を行う領域である作業用領域を有効とするための操作を受け付ける第２の受付手段と、
前記第２の受付手段が作業用領域を有効とする操作を受け付けた場合は、前記作業用領域に前記第１の付箋情報を貼りつけたことを示す画像を表示するための表示情報を作成する作成手段
を具備することを特徴とする情報処理装置。
【請求項２】
前記作成手段は、前記第２の受付手段が作業用領域を有効とする操作を受け付けた場合は、該作業用領域に台紙の特徴情報又は前記第１の付箋情報と台紙に既に貼り付けられている第２の付箋情報との関係を示す画像を表示するための表示情報を作成する
ことを特徴とする請求項１に記載の情報処理装置。
【請求項３】
前記作成手段は、前記台紙上でグループ化されている付箋情報群、前記第１の端末を利用している参加者からの投票数が予め定められた数よりも多い付箋情報、対象としている第１の付箋情報を送信した第１の端末によって送信された付箋情報のうち、いずれか１つ以上を、前記第２の端末を利用している操作者によって選択可能にして前記作業用領域に表示し得る表示情報を作成する
ことを特徴とする請求項２に記載の情報処理装置。
【請求項４】
前記作成手段は、前記台紙を縮小した画像を作成し、該縮小した画像内で前記第２の端末を利用している操作者によって、前記第１の付箋情報の配置位置を指定可能にして前記作業用領域に表示し得る表示情報を作成する
ことを特徴とする請求項２に記載の情報処理装置。
【請求項５】
前記第１の受付手段は、前記第１の端末から、第１の付箋情報と該第１の付箋情報に関係している第２の付箋情報を受け付け、
前記作成手段は、前記第１の受付手段が受け付けた第２の付箋情報を前記作業用領域内に表示し、台紙上の該第２の付箋情報との位置関係を示す図形を描画可能とする表示情報を作成する
ことを特徴とする請求項２に記載の情報処理装置。
【請求項６】
前記第１の受付手段は、前記第１の端末から、第１の付箋情報と該第１の付箋情報に関係している第２の付箋情報を受け付け、
前記作成手段は、前記第１の受付手段が受け付けた第２の付箋情報と台紙上で該第２の付箋情報の周囲にある付箋情報の画像を作成し、該作成した画像内で前記第２の端末を利用している操作者によって、前記第１の付箋情報の配置位置を指定可能にして前記作業用領域に表示し得る表示情報を作成する
ことを特徴とする請求項２に記載の情報処理装置。
【請求項７】
前記作成手段は、前記第２の受付手段が作業用領域を有効とする操作を受け付けていない場合であって、前記第１の付箋情報が台紙に既に貼り付けられている第２の付箋情報との関係がないときは、該台紙内の予め定められた領域に該第１の付箋情報を貼りつけたことを示す画像を表示するための表示情報を作成する
ことを特徴とする請求項１から６のいずれか一項に記載の情報処理装置。
【請求項８】
前記作成手段は、前記第２の受付手段が作業用領域を有効とする操作を受け付けていない場合であって、前記第１の付箋情報が台紙に既に貼り付けられている第２の付箋情報との関係があるときは、該第２の付箋情報の近傍に該第１の付箋情報を貼りつけたことを示す画像を表示するための表示情報を作成する
ことを特徴とする請求項１から７のいずれか一項に記載の情報処理装置。
【請求項９】
コンピュータを、
第１の端末から、少なくとも第１の付箋情報を受け付ける第１の受付手段と、
付箋情報を台紙に貼り付ける処理を行うための操作を受け付ける第２の端末から、前記第１の付箋情報を貼り付けるための作業を行う領域である作業用領域を有効とするための操作を受け付ける第２の受付手段と、
前記第２の受付手段が作業用領域を有効とする操作を受け付けた場合は、前記作業用領域に前記第１の付箋情報を貼りつけたことを示す画像を表示するための表示情報を作成する作成手段
として機能させるための情報処理プログラム。
【発明の詳細な説明】
【技術分野】
【０００１】
本発明は、情報処理装置及び情報処理プログラムに関する。
【背景技術】
【０００２】
特許文献１には、ユーザの円滑な作業を促進して利便性の高い会議支援システムを提供することを課題とし、ＣＰＵは、端末装置から書込データを受信したかどうかを判断し、端末装置から書込データを受信したと判断した場合には、次に、端末装置から図形データを受信したかどうかを判断し、図形データを受信したと判断した場合には、図形データに基づいて一致する位置関連情報が有るかどうかを判断し、一致する位置関連情報が有ると判断した場合には、位置関連情報に対応する領域に書込データを表示することが開示されている。
【０００３】
特許文献２には、ディスプレイの利用者が、ディスプレイに表示されているデータの中から所望のデータを効率良く確認できるようにすることを課題とし、オブジェクト位置検出部としてタッチパネルから圧力発生位置を検出することにより、表示部の画面上に貼り付けられたオブジェクトの位置を検出し、さらに、オブジェクトによって反射される反射光を、オブジェクト属性抽出部として光センサーが受信することによって、ディスプレイの表面上のオブジェクト属性を抽出し、そして、検出した属性と関連するデータをデータ保持部から検索し、オブジェクトの近傍に、関連するデータを表示することが開示されている。
【先行技術文献】
【特許文献】
【０００４】
【特許文献１】特開２０１１−０９０４８６号公報
【特許文献２】特開２０１０−１７０４７４号公報
【発明の概要】
【発明が解決しようとする課題】
【０００５】
本発明は、第１の端末から送信されてきた第１の付箋情報を、第２の端末における台紙に貼り付ける処理を行うにあたって、有効とした作業用領域内に第１の付箋情報が送られてきたことを示すようにした情報処理装置及び情報処理プログラムを提供することを目的としている。
【課題を解決するための手段】
【０００６】
かかる目的を達成するための本発明の要旨とするところは、次の各項の発明に存する。
請求項１の発明は、第１の端末から、少なくとも第１の付箋情報を受け付ける第１の受付手段と、付箋情報を台紙に貼り付ける処理を行うための操作を受け付ける第２の端末から、前記第１の付箋情報を貼り付けるための作業を行う領域である作業用領域を有効とするための操作を受け付ける第２の受付手段と、前記第２の受付手段が作業用領域を有効とする操作を受け付けた場合は、該作業用領域に前記第１の付箋情報を貼りつけたことを示す画像を表示するための表示情報を作成する作成手段を具備することを特徴とする情報処理装置である。
【０００７】
請求項２の発明は、前記作成手段は、前記第２の受付手段が作業用領域を有効とする操作を受け付けた場合は、該作業用領域に台紙の特徴情報又は前記第１の付箋情報と台紙に既に貼り付けられている第２の付箋情報との関係を示す画像を表示するための表示情報を作成することを特徴とする請求項１に記載の情報処理装置である。
【０００８】
請求項３の発明は、前記作成手段は、前記台紙上でグループ化されている付箋情報群、前記第１の端末を利用している参加者からの投票数が予め定められた数よりも多い付箋情報、対象としている第１の付箋情報を送信した第１の端末によって送信された付箋情報のうち、いずれか１つ以上を、前記第２の端末を利用している操作者によって選択可能にして前記作業用領域に表示し得る表示情報を作成することを特徴とする請求項２に記載の情報処理装置である。
【０００９】
請求項４の発明は、前記作成手段は、前記台紙を縮小した画像を作成し、該縮小した画像内で前記第２の端末を利用している操作者によって、前記第１の付箋情報の配置位置を指定可能にして前記作業用領域に表示し得る表示情報を作成することを特徴とする請求項２に記載の情報処理装置である。
【００１０】
請求項５の発明は、前記第１の受付手段は、前記第１の端末から、第１の付箋情報と該第１の付箋情報に関係している第２の付箋情報を受け付け、前記作成手段は、前記第１の受付手段が受け付けた第２の付箋情報を前記作業用領域内に表示し、台紙上の該第２の付箋情報との位置関係を示す図形を描画可能とする表示情報を作成することを特徴とする請求項２に記載の情報処理装置である。
【００１１】
請求項６の発明は、前記第１の受付手段は、前記第１の端末から、第１の付箋情報と該第１の付箋情報に関係している第２の付箋情報を受け付け、前記作成手段は、前記第１の受付手段が受け付けた第２の付箋情報と台紙上で該第２の付箋情報の周囲にある付箋情報の画像を作成し、該作成した画像内で前記第２の端末を利用している操作者によって、前記第１の付箋情報の配置位置を指定可能にして前記作業用領域に表示し得る表示情報を作成することを特徴とする請求項２に記載の情報処理装置である。
【００１２】
請求項７の発明は、前記作成手段は、前記第２の受付手段が作業用領域を有効とする操作を受け付けていない場合であって、前記第１の付箋情報が台紙に既に貼り付けられている第２の付箋情報との関係がないときは、該台紙内の予め定められた領域に該第１の付箋情報を貼りつけたことを示す画像を表示するための表示情報を作成することを特徴とする請求項１から６のいずれか一項に記載の情報処理装置である。
【００１３】
請求項８の発明は、前記作成手段は、前記第２の受付手段が作業用領域を有効とする操作を受け付けていない場合であって、前記第１の付箋情報が台紙に既に貼り付けられている第２の付箋情報との関係があるときは、該第２の付箋情報の近傍に該第１の付箋情報を貼りつけたことを示す画像を表示するための表示情報を作成することを特徴とする請求項１から７のいずれか一項に記載の情報処理装置である。
【００１４】
請求項９の発明は、コンピュータを、第１の端末から、少なくとも第１の付箋情報を受け付ける第１の受付手段と、付箋情報を台紙に貼り付ける処理を行うための操作を受け付ける第２の端末から、前記第１の付箋情報を貼り付けるための作業を行う領域である作業用領域を有効とするための操作を受け付ける第２の受付手段と、前記第２の受付手段が作業用領域を有効とする操作を受け付けた場合は、前記作業用領域に前記第１の付箋情報を貼りつけたことを示す画像を表示するための表示情報を作成する作成手段として機能させるための情報処理プログラムである。
【発明の効果】
【００１５】
請求項１の情報処理装置によれば、第１の端末から送信されてきた第１の付箋情報を、第２の端末における台紙に貼り付ける処理を行うにあたって、有効とした作業用領域内に第１の付箋情報が送られてきたことを示すことができる。
【００１６】
請求項２の情報処理装置によれば、台紙の特徴情報又は第１の付箋情報と台紙に既に貼り付けられている第２の付箋情報との関係を示すことができる。
【００１７】
請求項３の情報処理装置によれば、第２の端末を利用している操作者は、第１の付箋情報の配置位置として、台紙上でグループ化されている付箋情報群、第１の端末を利用している参加者からの投票数が予め定められた数よりも多い付箋情報、対象としている第１の付箋情報を送信した第１の端末によって送信された付箋情報のうち、いずれか１つ以上を選択することができる。
【００１８】
請求項４の情報処理装置によれば、第２の端末を利用している操作者は、第１の付箋情報の配置位置を、縮小した台紙内で選択することができる。
【００１９】
請求項５の情報処理装置によれば、第２の端末を利用している操作者は、第１の端末を利用している参加者が指定している第２の付箋情報の台紙上での位置を知ることができる。
【００２０】
請求項６の情報処理装置によれば、第２の端末を利用している操作者は、第１の付箋情報の配置位置として、第１の端末を利用している参加者が指定している第２の付箋情報の台紙上での周囲を知ることができる。
【００２１】
請求項７の情報処理装置によれば、作業用領域が有効でない場合であって、第１の付箋情報が第２の付箋情報との関係がないときは、その台紙内の予め定められた領域にその第１の付箋情報を貼りつけることができる。
【００２２】
請求項８の情報処理装置によれば、作業用領域が有効でない場合であって、第１の付箋情報が第２の付箋情報との関係があるときは、その第２の付箋情報の近傍にその第１の付箋情報を貼りつけることができる。
【００２３】
請求項９の情報処理プログラムによれば、第１の端末から送信されてきた第１の付箋情報を、第２の端末における台紙に貼り付ける処理を行うにあたって、有効とした作業用領域内に第１の付箋情報が送られてきたことを示すことができる。
【図面の簡単な説明】
【００２４】
【図１】本実施の形態の構成例についての概念的なモジュール構成図である。
【図２】本実施の形態を実現するにあたってのシステム構成例を示す説明図である。
【図３】本実施の形態が使用される会議室等の例を示す説明図である。
【図４】共有画面の例を示す説明図である。
【図５】本実施の形態による処理例を示すフローチャートである。
【図６】本実施の形態における作業用領域指定アイコンの表示例を示す説明図である。
【図７】本実施の形態において作業用領域を有効とした場合の表示例を示す説明図である。
【図８】本実施の形態における配置用ＵＩ領域の表示例を示す説明図である。
【図９】本実施の形態において作業用領域内の表示例を示す説明図である。
【図１０】本実施の形態において作業用領域内の表示例を示す説明図である。
【図１１】本実施の形態において作業用領域内の表示例を示す説明図である。
【図１２】本実施の形態において作業用領域内の表示例を示す説明図である。
【図１３】本実施の形態において新付箋を配置した場合の表示例を示す説明図である。
【図１４】付箋情報テーブルのデータ構造例を示す説明図である。
【図１５】台紙情報テーブルのデータ構造例を示す説明図である。
【図１６】本実施の形態を実現するコンピュータのハードウェア構成例を示すブロック図である。
【発明を実施するための形態】
【００２５】
以下、図面に基づき本発明を実現するにあたっての好適な一実施の形態の例を説明する。
図１は、本実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するの意である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態に応じて、又はそれまでの状況・状態に応じて定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という意味を有する記載は、「Ａであるか否かを判断し、Ａであると判断した場合はＢをする」の意味で用いる。ただし、Ａであるか否かの判断が不要である場合を除く。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００２６】
本実施の形態である情報処理装置の台紙・付箋編集サーバー１５０は、付箋情報（電子付箋、電子カード等ともいわれる）を扱うものであって、図１の例に示すように、送受信モジュール１５２、送受信端末情報特定モジュール１５４、台紙・付箋管理モジュール１５６、台紙データ１５８、付箋データ１６０、再配置用操作画面作成モジュール１６２、台紙特徴抽出モジュール１６４、付箋コンテキストデータ抽出モジュール１６６を有している。台紙・付箋編集サーバー１５０は、複数の参加者用端末（参加者用端末１１１等）、共有画面用端末１２１と接続されている。参加者用端末１１１、参加者用端末１１２、参加者用端末１１９等は、送受信モジュール１５２と接続されている。共有画面用端末１２１は、送受信モジュール１５２と接続されている。
台紙・付箋編集サーバー１５０は、付箋情報を用いて、複数人の参加者、ファシリテーターによって行われる会合（会議、アイデア抽出会、検討会等）で利用される。参加者は参加者用端末（参加者用端末１１１等）を用いて、アイデア等が記載された付箋情報を作成する。一般的に、図１に示すように、参加者用端末群１１０として、参加者用端末１１１、参加者用端末１１２、参加者用端末１１９等（以下、代表して参加者用端末１１１という）があり、参加者用端末は複数ある。そして、台紙・付箋編集サーバー１５０は、参加者用端末１１１から付箋情報を受け取って、台紙上にその付箋情報を貼り付ける。ファシリテーターはファシリテーター用端末１２０である共有画面用端末１２１を用いて、その台紙上で、付箋情報の位置を決定又は変更したり、付箋情報をまとめたり、自らも付箋情報の作成等を行って、その会合を進行させる。
【００２７】
送受信モジュール１５２は、参加者用端末１１１、共有画面用端末１２１、送受信端末情報特定モジュール１５４、台紙・付箋管理モジュール１５６、再配置用操作画面作成モジュール１６２と接続されている。送受信モジュール１５２は、第１の端末である参加者用端末１１１から、少なくとも第１の付箋情報を受け付ける。例えば、参加者用端末１１１の参加者の操作によって文字、図形等が記載された付箋情報を受け付ける。内容としては、アイデア、意見等が記載されている。より具体的には、後述する付箋情報テーブル１４００内の情報（特に、付箋内容欄１４２０）である。
そして、送受信モジュール１５２は、付箋情報を台紙に貼り付ける処理を行うための操作を受け付ける第２の端末である共有画面用端末１２１から、参加者用端末１１１から送信されてきた第１の付箋情報を貼り付けるための作業を行う領域である作業用領域を有効とするための操作を受け付ける。受け付ける操作として、具体的には、後述する図７の例のように、作業用領域指定アイコン６００を台紙領域４１０に移動させる操作が該当する。
【００２８】
送受信端末情報特定モジュール１５４は、送受信モジュール１５２と接続されている。送受信端末情報特定モジュール１５４は、第１の付箋情報を送信してきた参加者用端末を特定し、その参加者用端末を利用している参加者を特定する。また、付箋情報が貼り付けられた台紙に関する情報（台紙を示す画像、貼り付けられている付箋情報等）を送信する端末（共有画面用端末１２１又は台紙に関する情報を要求した参加者用端末１１１等）を特定するものである。送受信モジュール１５２は、送受信端末情報特定モジュール１５４の処理結果によって、第１の付箋情報を送信してきた参加者用端末等を特定したり、台紙に関する情報を端末に送信したりする。
【００２９】
台紙・付箋管理モジュール１５６は、送受信モジュール１５２、再配置用操作画面作成モジュール１６２、台紙データ１５８、付箋データ１６０と接続されている。台紙・付箋管理モジュール１５６は、送受信モジュール１５２、再配置用操作画面作成モジュール１６２からの要求にしたがって、台紙データ１５８から台紙に関する情報又は付箋データ１６０から付箋情報を抽出する。
付箋データ１６０は、台紙・付箋管理モジュール１５６と接続されている。付箋データ１６０は、付箋情報を記憶している。例えば、付箋情報テーブル１４００を記憶している。図１４は、付箋情報テーブル１４００のデータ構造例を示す説明図である。付箋情報テーブル１４００は、付箋ＩＤ欄１４１０、付箋内容欄１４２０、作成者ＩＤ欄１４３０、作成日時欄１４４０、作成端末ＩＤ欄１４５０、送信日時欄１４６０、指定付箋ＩＤ欄１４７０、コメント欄１４８０、座標欄１４８５、いいね投票数欄１４９０を有している。付箋ＩＤ欄１４１０は、付箋情報を本実施の形態において一意に特定するための付箋ＩＤ（ＩＤｅｎｔｉｆｉｃａｔｉｏｎ）を記憶している。付箋内容欄１４２０は、参加者が付箋情報に記載した文字、図形等を記憶している。例えば、文字コード列、指又はペン等の軌跡を示すベクトルデータ、又はそれらのデータを記憶しているファイル名等であってもよい。作成者ＩＤ欄１４３０は、その付箋情報を作成した参加者を本実施の形態で一意に特定するための参加者ＩＤを記憶している。作成日時欄１４４０は、その付箋情報が作成された日時（年、月、日、時、分、秒、秒以下、又はこれらの組み合わせであってもよい。以下、同様）を記憶している。作成端末ＩＤ欄１４５０は、その付箋情報が作成された端末を本実施の形態で一意に特定するための作成端末ＩＤを記憶している。送信日時欄１４６０は、その付箋情報が送信された日時を記憶している。指定付箋ＩＤ欄１４７０は、その付箋情報（第１の付箋情報）に関係している第２の付箋情報を記憶している。「第２の付箋情報」は、台紙に既に貼り付けられている付箋情報である。第１の付箋情報を作成した参加者が指定した第２の付箋情報の付箋ＩＤであって、例えば、第１の付箋情報の内容は、第２の付箋情報を見たことによって発案したものであって、第２の付箋情報の近傍に配置すべきであると参加者が考えた場合に、その第２の付箋情報の付箋ＩＤが指定される。なお、参加者が第２の付箋情報を指定しなかった場合は、ＮＵＬＬが記憶される。コメント欄１４８０は、その付箋情報に関連したコメントを記憶している。コメントの作成者は、付箋情報を作成した参加者であってもよいし、他の参加者であってもよいし、ファシリテーターであってもよい。座標欄１４８５は、その付箋情報の台紙内における位置（例えば、台紙内のＸＹ座標）を記憶している。いいね投票数欄１４９０は、その付箋情報に対して参加者から「いいね」ボタンが押下された回数（いいね投票数）を記憶している。
【００３０】
台紙データ１５８は、台紙・付箋管理モジュール１５６と接続されている。台紙データ１５８は、台紙に関する情報を記憶している。例えば、台紙情報テーブル１５００を記憶している。図１５は、台紙情報テーブル１５００のデータ構造例を示す説明図である。台紙情報テーブル１５００は、台紙ＩＤ欄１５０５、台紙背景欄１５１０、参加者ＩＤ欄１５１５、ファシリテーターＩＤ欄１５２０、作成日時欄１５２５、終了日時欄１５３０、グループ数欄１５３５、グループＩＤ欄１５４０、グループ名欄１５４５、グループ位置欄１５５０、グループ内付箋ＩＤ欄１５５５、付箋数欄１５６０、付箋ＩＤ欄１５６５、付箋位置欄１５７０、いいね投票数欄１５７５を有している。台紙ＩＤ欄１５０５は、台紙を本実施の形態において一意に特定するための台紙ＩＤを記憶している。台紙背景欄１５１０は、その台紙の背景の模様（例えば、ＸＹ軸、テンプレート画像等）を記憶している。参加者ＩＤ欄１５１５は、その台紙を用いる参加者の参加者ＩＤを記憶している。ファシリテーターＩＤ欄１５２０は、その台紙を用いるファシリテーターのファシリテーターＩＤを記憶している。作成日時欄１５２５は、その台紙の作成開始日時を記憶している。終了日時欄１５３０は、その台紙の作成終了日時を記憶している。グループ数欄１５３５は、その台紙内で集合を形成したグループ数を記憶している。そのグループ数だけ、グループＩＤ欄１５４０、グループ名欄１５４５、グループ位置欄１５５０、グループ内付箋ＩＤ欄１５５５の組がある。グループＩＤ欄１５４０は、そのグループを本実施の形態において一意に特定するためのグループＩＤを記憶している。グループ名欄１５４５は、そのグループの名称（例えば、図７等ではグループＡ、グループＢ等）を記憶している。グループ位置欄１５５０は、その台紙内における、そのグループの位置（例えば、台紙内のＸＹ座標）を記憶している。グループ内付箋ＩＤ欄１５５５は、そのグループに要素として含まれている付箋情報の付箋ＩＤを記憶している。付箋数欄１５６０は、その台紙上に貼り付けられている付箋情報の数を記憶している。その付箋情報の数だけ、付箋ＩＤ欄１５６５、付箋位置欄１５７０、いいね投票数欄１５７５の組がある。付箋ＩＤ欄１５６５は、その台紙上に貼り付けられている付箋情報の付箋ＩＤを記憶している。付箋位置欄１５７０は、その付箋情報の台紙内における位置（例えば、台紙内のＸＹ座標）を記憶している。いいね投票数欄１５７５は、その付箋情報に対して参加者から「いいね」ボタンが押下された回数（いいね投票数）を記憶している。
【００３１】
再配置用操作画面作成モジュール１６２は、送受信モジュール１５２、台紙・付箋管理モジュール１５６、台紙特徴抽出モジュール１６４、付箋コンテキストデータ抽出モジュール１６６と接続されている。再配置用操作画面作成モジュール１６２は、送受信モジュール１５２が作業用領域を有効とする操作を受け付けた場合は、その作業用領域に第１の付箋情報を貼りつけたことを示す画像を表示するための表示情報を作成する。具体的な例として、後述する図５に例示のフローチャート内のステップＳ５１６が該当する。そして、さらに、その作業用領域に台紙の特徴情報又は参加者用端末１１１から送信された第１の付箋情報と台紙に既に貼り付けられている第２の付箋情報との関係を示す画像を表示するための表示情報を作成するようにしてもよい。台紙の特徴情報を示す画像の作成の具体的な例として、後述する図５に例示のフローチャート内のステップＳ５６４が該当する。また、第２の付箋情報との関係を示す画像の作成の具体的な例として、後述する図５に例示のフローチャート内のステップＳ５６６が該当する。「送受信モジュール１５２が作業用領域を有効とする操作を受け付けた場合」とは、その操作を受け付けた後であって、作業用領域を無効とする操作を受け付けるまでの間をいう。表示情報を作成するにあたって、台紙特徴抽出モジュール１６４が抽出した台紙の特徴（例えば、台紙情報テーブル１５００）、付箋コンテキストデータ抽出モジュール１６６が抽出した付箋のコンテキストデータ（例えば、付箋情報テーブル１４００）を用いる。「画像を作成するための表示情報」とは、画像そのものであってもよい。その場合は、表示情報を受信した共有画面用端末１２１は、台紙・付箋編集サーバー１５０から受信したその画像をそのまま表示すればよい。また、画像を描くためのデータ（例えば、テキストデータ、図形を描くためのベクトルデータ等）であってもよい。
【００３２】
例えば、再配置用操作画面作成モジュール１６２は、以下の処理を行ってもよい。参加者用端末１１１を利用している参加者から、第２の付箋情報の指定がない場合（第１の付箋情報の配置をファシリテーターに一任する場合）の処理である。
（候補表示ＵＩ／Ａ１）再配置用操作画面作成モジュール１６２は、台紙上でグループ化されている付箋情報群、参加者用端末１１１を利用している参加者からの投票数が予め定められた数よりも多い付箋情報、対象としている第１の付箋情報を送信した参加者用端末１１１によって送信された付箋情報のうち、いずれか１つ以上を、共有画面用端末１２１を利用している操作者によって選択可能にして作業用領域に表示し得る表示情報を作成するようにしてもよい。この処理については、図９の例を用いて詳述する。
（候補表示ＵＩ／Ａ２）また、再配置用操作画面作成モジュール１６２は、台紙を縮小した画像を作成し、その縮小した画像内で共有画面用端末１２１を利用している操作者によって、第１の付箋情報の配置位置を指定可能にして作業用領域に表示し得る表示情報を作成するようにしてもよい。この処理については、図１０の例を用いて詳述する。
【００３３】
また、送受信モジュール１５２が、参加者用端末１１１から、第１の付箋情報とその第１の付箋情報に関係している第２の付箋情報を受け付けた場合に、再配置用操作画面作成モジュール１６２は、以下のような処理を行ってもよい。参加者用端末１１１を利用している参加者が指定している第２の付箋情報を利用するものである。
（候補表示ＵＩ／Ｂ１）再配置用操作画面作成モジュール１６２は、送受信モジュール１５２が受け付けた第２の付箋情報を作業用領域内に表示し、台紙上のその第２の付箋情報との位置関係を示す図形を描画可能とする表示情報を作成するようにしてもよい。この処理については、図１１の例を用いて詳述する。
（候補表示ＵＩ／Ｂ２）再配置用操作画面作成モジュール１６２は、送受信モジュール１５２が受け付けた第２の付箋情報と台紙上でその第２の付箋情報の周囲にある付箋情報の画像を作成し、その作成した画像内で共有画面用端末１２１を利用している操作者によって、第１の付箋情報の配置位置を指定可能にして作業用領域に表示し得る表示情報を作成するようにしてもよい。この処理については、図１２の例を用いて詳述する。
なお、共有画面用端末１２１又は参加者用端末１１１における表示は、再配置用操作画面作成モジュール１６２又は台紙・付箋管理モジュール１５６が生成したものに基づいて行われる。したがって、詳細な説明において、共有画面用端末１２１又は参加者用端末１１１が「表示する」とあるものは、再配置用操作画面作成モジュール１６２又は台紙・付箋管理モジュール１５６が表示情報を生成し、その表示情報にしたがって共有画面用端末１２１又は参加者用端末１１１が表示するの意味である。
【００３４】
もちろんのことながら、再配置用操作画面作成モジュール１６２は、前述の（候補表示ＵＩ／Ａ１）、（候補表示ＵＩ／Ａ２）、（候補表示ＵＩ／Ｂ１）、（候補表示ＵＩ／Ｂ２）のいずれかの表示を行った後に、共有画面用端末１２１に対する操作者の操作に応じて、第１の付箋情報を台紙に貼り付けたことを示す画像を表示するための表示情報を作成する。例えば、（候補表示ＵＩ／Ａ１）では、操作者によって選択された付箋情報群又は付箋情報の近傍に、第１の付箋情報を貼り付けたことを示す画像を表示するための表示情報を作成する。（候補表示ＵＩ／Ａ２）では、操作者によって指定された配置位置に、第１の付箋情報を貼り付けたことを示す画像を表示するための表示情報を作成する。（候補表示ＵＩ／Ｂ１）では、操作者による了解操作に応じて、第１の付箋情報を作成した作成者によって指定された配置位置に、第１の付箋情報を貼り付けたことを示す画像を表示するための表示情報を作成する。（候補表示ＵＩ／Ｂ２）では、操作者によって指定された配置位置に、第１の付箋情報を貼り付けたことを示す画像を表示するための表示情報を作成する。
【００３５】
また、再配置用操作画面作成モジュール１６２は、送受信モジュール１５２が作業用領域を有効とする操作を受け付けていない場合であって、第１の付箋情報が台紙に既に貼り付けられている第２の付箋情報との関係がないときは、台紙内の予め定められた領域に該第１の付箋情報を貼りつけたことを示す画像を表示するための表示情報を作成するようにしてもよい。具体的な例として、後述する図５に例示のフローチャート内のステップＳ５１４、図４に例示のフリー領域４８０が該当する。なお、「第１の付箋情報が台紙に既に貼り付けられている第２の付箋情報との関係がない」とは、第１の付箋情報を作成した作成者によって、その第１の付箋情報を貼り付ける位置が指定されていない場合をいう。
また、再配置用操作画面作成モジュール１６２は、送受信モジュール１５２が作業用領域を有効とする操作を受け付けていない場合であって、第１の付箋情報が台紙に既に貼り付けられている第２の付箋情報との関係があるときは、その第２の付箋情報の近傍にその第１の付箋情報を貼りつけたことを示す画像を表示するための表示情報を作成するようにしてもよい。具体的な例として、後述する図５に例示のフローチャート内のステップＳ５１８、図４に例示の新付箋４４１の位置が該当する。なお、「第１の付箋情報が台紙に既に貼り付けられている第２の付箋情報との関係がある」とは、第１の付箋情報を作成した作成者によって、その第１の付箋情報を貼り付ける位置として第２の付箋情報が指定されている場合をいう。
【００３６】
台紙特徴抽出モジュール１６４は、再配置用操作画面作成モジュール１６２と接続されている。台紙特徴抽出モジュール１６４は、用いられている台紙の特徴を、台紙データ１５８から台紙・付箋管理モジュール１５６を介して抽出する。
付箋コンテキストデータ抽出モジュール１６６は、再配置用操作画面作成モジュール１６２と接続されている。付箋コンテキストデータ抽出モジュール１６６は、対象となっている付箋情報のコンテキストデータを、付箋データ１６０から台紙・付箋管理モジュール１５６を介して抽出する。
そして、送受信モジュール１５２は、再配置用操作画面作成モジュール１６２によって作成された表示情報を共有画面用端末１２１に送信する。共有画面用端末１２１は、表示情報を受け取り、ファシリテーターの作業用領域に対する操作によって、第１の付箋情報を台紙上に配置する。
【００３７】
図２は、本実施の形態を実現するにあたってのシステム構成例を示す説明図である。
参加者用端末１１１、参加者用端末１１２、参加者用端末１１３、参加者用端末１１９、共有画面用端末１２１、台紙・付箋編集サーバー１５０は、通信回線２９９を介してそれぞれ接続されている。必ずしも、全ての装置が１つの部屋（会議室等）にある必要はないが、一般的には、参加者が用いる参加者用端末１１１等とファシリテーターが用いる共有画面用端末１２１は、同じ部屋にある。通信回線２９９は、有線回線であってもよいし、無線回線であってもよい。また、台紙・付箋編集サーバー１５０は、共有画面用端末１２１内に含まれていてもよい。
【００３８】
図３は、本実施の形態が使用される会議室等の例を示す説明図である。
図３（ａ）の例に示すように、会議室等内に、参加者３１１、３１２、ファシリテーター３２１が集まっている。参加者３１１は参加者用端末１１１を利用し、参加者３１２は参加者用端末１１２を利用する。一般的に、参加者用端末（参加者用端末１１１等）は参加者一人に１個付与されており、図３（ｂ）の例に示す参加者用端末１１１のように、ノート程度の大きさ（例えば、Ａ４、Ｂ５、７〜１０インチ等）であり、タブレット型の端末であり、指又はペン等を用いて操作されるものである。参加者によって、手書きの文字、図形等が記載された付箋情報が作成される。なお、参加者用端末は、タブレット型の端末に限られず、キーボード、マウス等を備えたＰＣ等であってもよい。
共有画面用端末１２１Ａは、プロジェクターであって、台紙を表示する。大型の画面（例えば、８０インチ等の大きさ）を備えたものであってもよい。また、共有画面用端末１２１Ｂは、白板であって、ファシリテーター３２１の指又はペン等の動きを検知して、付箋情報を台紙に貼り付けること等の操作を受け付けるものである。例えば、共有画面用端末１２１Ｂにペンが備えられており、そのペンが予め定められたペン置きから離れたこと（ファシリテーター３２１が操作するためにペンを持ち上げたこと）、そしてペンの先端の位置（ペン先端が共有画面用端末１２１Ｂに触れたこと等）を検知することによって、台紙、付箋情報に対する操作を受け付ける。例えば、ペン置きにセンサー（ペンの重力でスイッチがオンオフとなるセンサー等）を設け、複数のペンのうち、どのペンが用いられているかを検知すればよい。また、共有画面用端末１２１Ｂの表示画面全体がタッチセンサーであり、表示画面に触れられた位置を検知すればよい。
【００３９】
図４は、共有画面４００の例を示す説明図である。共有画面４００は、図３（ａ）の例に示されている共有画面用端末１２１Ｂに表示されているものである。
共有画面４００は、台紙領域４１０、フリー領域４８０を有している。台紙領域４１０内には、一般的な付箋情報（図４内では、小さい長方形）の他に、グル―プ領域４２０、グル―プ領域４３０、拡大付箋Ａ４４０、拡大付箋Ｂ４５０が表示されている。フリー領域４８０内には、参加者用端末から送信されてきた付箋情報（位置指定されていない付箋情報）が表示される。そして、ファシリテーター３２１の操作に応じて、フリー領域４８０内の付箋情報を台紙領域４１０に移動させる。また、参加者用端末の参加者によって位置指定が行われた付箋情報は、台紙領域４１０内に直接配置される。例えば、拡大付箋Ａ４４０と関係があるとされた付箋情報は、新付箋４４１の位置に配置される。
また、ファシリテーター３２１の操作によって、複数の付箋情報をグループ化（例えば、グル―プ領域４２０、グル―プ領域４３０のように）することができる。例えば、それらの付箋情報が一カ所に配置され、それらを囲む線が描かれたことを検知して、囲まれた付箋情報をグループ化すればよい。
物理的な紙の付箋と異なって、付箋情報は電子的に台紙に貼り付けられること、そして台紙の画面（画面の物理的なサイズ）が大きいことから、参加者用端末１１１から付箋情報が貼り付けられたことやその場所が分かりにくくなる。特に、台紙に貼り付けられている付箋情報が多い場合、短期間で参加者用端末から複数の付箋情報が送信されてきた場合等には、その傾向が強い。また、台紙の画面が大きいことから、ファシリテーターの配置作業（例えば、付箋情報を選択し、配置したい位置まで移動させる等の作業）の負荷が大きくなる。
また、参加者は、台紙に貼り付けられている付箋情報に対して、「いいね投票」を行うことができる。例えば、参加者は付箋情報に記載されている内容に賛同する場合は、その付箋情報を指定して参加者用端末１１１に表示されている「いいね投票」ボタンが押下（又はそれぞれの付箋情報に付加されている「いいね投票」ボタンが押下）される。そして、その押下回数がカウントされて、付箋情報テーブル１４００のいいね投票数欄１４９０、台紙情報テーブル１５００のいいね投票数欄１５７５に記憶される。押下回数が予め定められた数よりも多い付箋情報は、他の付箋情報よりも大きく（例えば、拡大付箋Ａ４４０、拡大付箋Ｂ４５０のように）表示する。
このような会議支援システムに、本実施の形態の台紙・付箋編集サーバー１５０を導入する。
【００４０】
図５は、本実施の形態による処理例を示すフローチャートである。
ステップＳ５００からステップＳ５１８までの処理は、主に参加者用端末１１１での処理を示している。
ステップＳ５０２では、参加者用端末１１１に対する参加者３１１の台紙参照操作を受け付ける。参加者用端末１１１での台紙参照とは、共有画面用端末１２１の画面に表示されているものと同じものを参加者用端末１１１の画面に表示することをいう。
ステップＳ５０４では、台紙・付箋情報を表示する。台紙参照操作に応じた画像（共有画面用端末１２１の画面に表示されているもの）を台紙・付箋編集サーバー１５０から受け取って、参加者用端末１１１の画面に表示する。また、台紙と付箋情報を交互に（又は両方を）表示し、参加者３１１の操作によって付箋情報を作成する。例えば、参加者用端末１１１の画面に触れている指の軌跡データを付箋情報とする。
【００４１】
参加者３１１の操作によって作成された付箋情報には、属性として、「付箋の配置はファシリテーターに任せる」又は「指定した付箋について書き足す」のいずれかが、参加者３１１の指定操作によって付与される。「付箋の配置はファシリテーターに任せる」が付与された場合はステップＳ５０６へ、「指定した付箋について書き足す」が付与された場合はステップＳ５０８へ進む。
ステップＳ５０６では、参加者３１１の操作によって作成された付箋情報を送付する。属性として、「付箋の配置はファシリテーターに任せる」とする。参加者３１１が付箋情報の台紙上における位置を指定しない場合に、この処理を行う。
ステップＳ５０８では、参加者３１１の操作によって作成された付箋情報を送付する。属性として、「指定した付箋について書き足す」とする。参加者３１１が付箋情報の台紙上における位置を指定した場合に、この処理を行う。例えば、「指定した付箋」として、台紙を参照した際に、台紙上に既に貼り付けられている付箋情報が指定される。
【００４２】
ステップＳ５１０では、作業用領域は有効であるか否かを判断し、有効である場合はステップＳ５１６へ進み、それ以外の場合はステップＳ５１４へ進む。
ステップＳ５１２では、作業用領域は有効であるか否かを判断し、有効である場合はステップＳ５１６へ進み、それ以外の場合はステップＳ５１８へ進む。
作業用領域が有効でない（無効）とは、図６の例に示すように、作業用領域指定アイコン６００が台紙領域４１０外にある場合をいう。作業用領域指定アイコン６００は、ファシリテーター３２１の操作によって共有画面４００上を移動可能である。図６は、本実施の形態における作業用領域指定アイコン６００の表示例を示す説明図である。前述した共有画面４００と同様の表示構成であるが、本実施の形態では、フリー領域４８０を表示していない。ただし、フリー領域４８０を表示すること、作業用領域を用いることのいずれかをファシリテーター３２１の操作によって選択可能としてもよいし、フリー領域４８０を表示すること、作業用領域を用いることの両方を行うようにしてもよいし、又は、作業用領域指定アイコン６００が台紙領域４１０外にある場合はフリー領域４８０を表示し、作業用領域指定アイコン６００が台紙領域４１０内にある場合はフリー領域４８０を消去するようにしてもよい。なお、フリー領域４８０を消去した場合は、フリー領域４８０内の付箋情報を後述する作業用領域７１０内に移動させて表示する。
作業用領域が有効であるとは、図７の例に示すように、作業用領域指定アイコン６００が台紙領域４１０内に移動された場合をいう。再配置用操作画面作成モジュール１６２は、作業用領域指定アイコン６００が台紙領域４１０内に移動したことを検知した場合は、作業用領域指定アイコン６００の近傍に作業用領域７１０を作成する。ここで、作業用領域指定アイコン６００の近傍とは、図７の例に示すように、作業用領域指定アイコン６００を含むように予め定められた大きさの作業用領域７１０であってもよいし、作業用領域指定アイコン６００の右方向、左方向、下方向、上方向に作業用領域７１０を表示してもよい。例えば、ファシリテーター３２１の利き手が予め設定されている場合、右利きの場合は作業用領域指定アイコン６００の右方向に作業用領域７１０を表示し、左利きの場合は作業用領域指定アイコン６００の左方向に作業用領域７１０を表示してもよい。
【００４３】
ステップＳ５１４では、台紙上の特定の位置に送信する。例えば、図４の例に示すフリー領域４８０等に表示する。
ステップＳ５１６では、台紙上の作業用領域７１０の位置に送信する。作業用領域７１０内には、参加者用端末１１１から送信されてきた付箋情報を表示する。図７の例では、参加者用端末１１１等から送信されてきた新付箋７１２、７１４、７１６の３枚の付箋情報が表示されている。
ステップＳ５１８では、関連付箋の近傍に送信する。図４の例を用いて前述したように、指定した付箋情報の近傍（図４の例では新付箋４４１）に、送信した付箋情報を表示する。
【００４４】
ステップＳ５５２からステップＳ５５８までの処理は、主に共有画面用端末１２１での処理を示している。
ステップＳ５５２では、共有画面用端末１２１に対するファシリテーター３２１の台紙参照操作を受け付ける。共有画面用端末１２１での台紙参照とは、ファシリテーター３２１の操作によって指定された台紙（例えば、付箋情報が貼り付けられていない最初の台紙、又は過去に付箋情報が貼り付けられた台紙）を共有画面用端末１２１の画面に表示することをいう。
ステップＳ５５４では、台紙・付箋・作業用領域の情報を表示する。前述した図６の例に示すような表示を行う。
ステップＳ５５６では、ファシリテーターによる作業用領域の移動操作を受け付ける。例えば、作業用領域指定アイコン６００を台紙領域内に動かすと有効とする。前述した図７の例に示すような表示を行う。
ステップＳ５５８では、作業用領域用の付箋取り込み位置を更新する。作業用領域７１０内にステップＳ５１６で送信された付箋情報を表示する。ファシリテーター３２１は、作業用領域７１０内に、新たな付箋情報が増えたことが分かる。作業用領域７１０は、台紙領域４１０よりも小さい面積であり、自分が動かした作業用領域指定アイコン６００の近くにあるので、新たな付箋情報が増えたことに気付きやすい。また、新たに増えた付箋情報を他の付箋情報と区別し得るように、異なる色、又はフラッシュ表示（予め定められた期間の点滅表示）等で表示するようにしてもよい。
【００４５】
ステップＳ５６０からステップＳ５６８までの処理は、主に台紙・付箋編集サーバー１５０での処理を示している。
ステップＳ５６０では、ファシリテーター３２１による付箋の配置用操作を受け付ける。例えば、作業用領域７１０内の新付箋７１２を選択する操作が該当する。配置用操作を受け付けた場合は、図８の例に示すように、選択された新付箋７１２を台紙領域４１０に配置するための配置用ＵＩ領域８００を表示する。配置用ＵＩ領域８００の詳細については、図９〜１２を用いて後述する。
ステップＳ５６２では、属性は「指定した付箋について書き足す」（ステップＳ５０８の処理が行われた）か否かを判断し、「指定した付箋について書き足す」である場合はステップＳ５６６へ進み、それ以外の場合はステップＳ５６４へ進む。
【００４６】
ステップＳ５６４では、候補表示ＵＩ／Ａ１又は候補表示ＵＩ／Ａ２を作成し、表示する。図９の例を用いて候補表示ＵＩ／Ａ１、図１０の例を用いて候補表示ＵＩ／Ａ２を説明する。
図９は、本実施の形態において作業用領域内の表示例（候補表示ＵＩ／Ａ１）を示す説明図である。対象付箋９１０（新付箋７１２）が選択されたことを検知した場合に、移動先候補表示ボタン９２０を表示する。そして、移動先候補表示ボタン９２０がファシリテーター３２１の操作によって選択されたことを検知した場合に、移動先候補リスト９３０を表示する。移動先候補リスト９３０の内容は、図９の例に示すように、台紙領域４１０上でグループ化されている付箋情報群（「グループＡ」、「グループＢ」）、参加者用端末１１１等を利用している参加者からの投票数が予め定められた数よりも多い付箋情報（「拡大付箋Ａ」、「拡大付箋Ｂ」）、対象としている第１の付箋情報（新付箋７１２）を送信した第１の端末（参加者用端末１１１）によって送信された付箋情報（「直前の付箋」）である。表示対象は、これらのうちいずれか１つ以上であればよい。「グループ（グループ化されている付箋情報群）」が選択された場合は、対象付箋９１０をそのグループに含める。「拡大付箋（投票数が予め定められた数よりも多い付箋情報）」が選択された場合は、対象付箋９１０をその拡大付箋の近傍に配置する。「直前の付箋」が選択された場合は、対象付箋９１０をその直前の付箋の近傍に配置する。「対象としている第１の付箋情報を送信した第１の端末によって送信された付箋情報」とは、配置対象として選択された付箋情報Ｘよりも以前（例えば、直前）に、付箋情報Ｘを送信した参加者用端末から送信されてきた付箋情報Ｙのことである。連続して作成された付箋情報は、関連している場合が多いからである。なお、これらは、台紙特徴抽出モジュール１６４が台紙情報テーブル１５００又は付箋コンテキストデータ抽出モジュール１６６が付箋情報テーブル１４００を用いて抽出する。
【００４７】
図１０は、本実施の形態において作業用領域内の表示例（候補表示ＵＩ／Ａ２）を示す説明図である。対象付箋９１０（新付箋７１２）が選択されたことを検知した場合に、移動先候補表示ボタン９２０を表示する。そして、移動先候補表示ボタン９２０がファシリテーター３２１の操作によって選択されたことを検知した場合に、ダイジェストマップ１０５０を表示する。ダイジェストマップ１０５０の内容は、図１０の例に示すように、台紙領域４１０内の縮小画像である。ダイジェストマップ１０５０内で、ファシリテーター３２１の操作によって、対象付箋９１０の配置位置が選択され、その配置位置に対象付箋９１０を移動する。なお、縮小画像は、再配置用操作画面作成モジュール１６２が作成する。
【００４８】
ステップＳ５６６では、候補表示ＵＩ／Ｂ１または候補表示ＵＩ／はＢ２を作成し、表示する。図１１の例を用いて候補表示ＵＩ／Ｂ１、図１２の例を用いて候補表示ＵＩ／Ｂ２を説明する。
図１１は、本実施の形態において作業用領域内の表示例（候補表示ＵＩ／Ｂ１）を示す説明図である。新付箋７１２が選択されたことを検知した場合に、拡大付箋Ａのダイジェスト４４０ａを表示する。拡大付箋Ａのダイジェスト４４０ａは、新付箋７１２を作成した参加者によって指定された拡大付箋Ａ４４０の複写である。そして、拡大付箋Ａのダイジェスト４４０ａの位置から、拡大付箋Ａ４４０がある位置を指し示す位置指示線１１４０を表示する。ファシリテーター３２１は、新付箋７１２の配置位置として、新付箋７１２を作成した参加者によって指定された拡大付箋Ａ４４０の近傍が妥当であるか否かを判断する。妥当であると判断した場合の了承操作（例えば、拡大付箋Ａのダイジェスト４４０ａを２回続けてタップする等の操作）を検知した場合は、新付箋７１２を拡大付箋Ａ４４０の近傍に配置する。
【００４９】
図１２は、本実施の形態において作業用領域内の表示例（候補表示ＵＩ／Ｂ２）を示す説明図である。対象付箋９１０（新付箋７１２）が選択されたことを検知した場合に、クリップマップ１２００を表示する。クリップマップ１２００の内容は、図１２の例に示すように、対象付箋９１０を作成した参加者によって指定された拡大付箋Ａ４４０の周辺（拡大付箋Ａ４４０を含む周辺）の複写である。拡大付箋Ａのダイジェスト４４０ａは拡大付箋Ａ４４０の複写である。クリップマップ１２００の大きさは、例えば参加者が指定した拡大付箋Ａのダイジェスト４４０ａを中心にし、その周辺に対象付箋９１０を配置可能な余白があるようにする。また、クリップマップ１２００内に表示する拡大付箋Ａのダイジェスト４４０ａの付箋等は、台紙領域４１０内に表示されているものと同じ大きさであってもよいし、縮小したものであってもよい。ただし、台紙領域４１０内の付箋情報間の位置関係を保持する。ファシリテーター３２１は、対象付箋９１０の配置位置として、対象付箋９１０を作成した参加者によって指定された拡大付箋Ａ４４０の近傍が妥当であるか否かを判断する。妥当であると判断した場合のクリップマップ１２００内の配置位置を選択する操作（参加者指定位置９１０ａの位置を選択する操作）を検知した場合は、対象付箋９１０を拡大付箋Ａ４４０の近傍に配置する。また、対象付箋情報９１０が、参加者指定位置９１０ａの位置に移動したことを示す図形（例えば、矢印１２５０）を表示するようにしてもよい。
【００５０】
ステップＳ５６８では、ファシリテーターの配置決定操作に基づいて、台紙上の付箋の位置を決定し、その位置へ付箋を移動する。図１３は、本実施の形態において新付箋７１２を配置した場合の表示例を示す説明図である。図１３の例は、図８の例に示した状態から、図９〜１２の例に示した指定方法のいずれかによって、作業用領域７１０内に表示されていた新付箋７１２をファシリテーター３２１の指示にしたがって拡大付箋Ａ４４０の近傍に配置した状態（作業用領域７１０から新付箋７１２を消去し、拡大付箋Ａ４４０の近傍に新付箋７１２を表示）を示している。
【００５１】
なお、本実施の形態（参加者用端末１１１、共有画面用端末１２１、台紙・付箋編集サーバー１５０等）としてのプログラムが実行されるコンピュータのハードウェア構成は、図１６に例示するように、一般的なコンピュータであり、具体的にはパーソナルコンピュータ、サーバーとなり得るコンピュータ等である。つまり、具体例として、処理部（演算部）としてＣＰＵ１６０１を用い、記憶装置としてＲＡＭ１６０２、ＲＯＭ１６０３、ＨＤ１６０４を用いている。ＨＤ１６０４として、例えばハードディスクを用いてもよい。送受信モジュール１５２、送受信端末情報特定モジュール１５４、台紙・付箋管理モジュール１５６、再配置用操作画面作成モジュール１６２、台紙特徴抽出モジュール１６４、付箋コンテキストデータ抽出モジュール１６６等のプログラムを実行するＣＰＵ１６０１と、そのプログラムやデータを記憶するＲＡＭ１６０２と、本コンピュータを起動するためのプログラム等が格納されているＲＯＭ１６０３と、補助記憶装置であるＨＤ１６０４と、キーボード、マウス、タッチパネル等に対する利用者の操作に基づいてデータを受け付ける受付装置１６０６と、ＣＲＴ、液晶ディスプレイ等の出力装置１６０５と、ネットワークインタフェースカード等の通信ネットワークと接続するための通信回線インタフェース１６０７、そして、それらをつないでデータのやりとりをするためのバス１６０８により構成されている。これらのコンピュータが複数台互いにネットワークによって接続されていてもよい。
【００５２】
前述の実施の形態のうち、コンピュータ・プログラムによるものについては、本ハードウェア構成のシステムにソフトウェアであるコンピュータ・プログラムを読み込ませ、ソフトウェアとハードウェア資源とが協働して、前述の実施の形態が実現される。
なお、図１６に示すハードウェア構成は、１つの構成例を示すものであり、本実施の形態は、図１６に示す構成に限らず、本実施の形態において説明したモジュールを実行可能な構成であればよい。例えば、一部のモジュールを専用のハードウェア（例えばＡＳＩＣ等）で構成してもよく、一部のモジュールは外部のシステム内にあり通信回線で接続しているような形態でもよく、さらに図１６に示すシステムが複数互いに通信回線によって接続されていて互いに協調動作するようにしてもよい。また、特に、パーソナルコンピュータの他、情報家電、複写機、ファックス、スキャナ、プリンタ、複合機（スキャナ、プリンタ、複写機、ファックス等のいずれか２つ以上の機能を有している画像処理装置）などに組み込まれていてもよい。
【００５３】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通などのために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラム又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、あるいは無線通信ネットワーク、さらにこれらの組み合わせ等の伝送媒体を用いて伝送させてもよく、また、搬送波に乗せて搬送させてもよい。
さらに、前記のプログラムは、他のプログラムの一部分であってもよく、あるいは別個のプログラムと共に記録媒体に記録されていてもよい。また、複数の記録媒体に分割して
記録されていてもよい。また、圧縮や暗号化など、復元可能であればどのような態様で記録されていてもよい。
【符号の説明】
【００５４】
１１０…参加者用端末群
１１１、１１２、１１３、・・・、１１９…参加者用端末
１２０…ファシリテーター用端末
１２１…共有画面用端末
１５０…台紙・付箋編集サーバー
１５２…送受信モジュール
１５４…送受信端末情報特定モジュール
１５６…台紙・付箋管理モジュール
１５８…台紙データ
１６０…付箋データ
１６２…再配置用操作画面作成モジュール
１６４…台紙特徴抽出モジュール
１６６…付箋コンテキストデータ抽出モジュール
２９９…通信回線
【図１】
2014222435.tif 000003
【図２】
2014222435.tif 000004
【図３】
2014222435.tif 000005
【図４】
2014222435.tif 000006
【図５】
2014222435.tif 000007
【図６】
2014222435.tif 000008
【図７】
2014222435.tif 000009
【図８】
2014222435.tif 000010
【図９】
2014222435.tif 000011
【図１０】
2014222435.tif 000012
【図１１】
2014222435.tif 000013
【図１２】
2014222435.tif 000014
【図１３】
2014222435.tif 000015
【図１４】
2014222435.tif 000016
【図１５】
2014222435.tif 000017
【図１６】
2014222435.tif 000018